【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
役抽選手段と、
前記ストップスイッチが停止操作されると最大移動図柄数の範囲内においてリールを停止制御するリール制御手段と
を備え、
前記リール制御手段は、所定の遊技状態では、前記複数のリールのうちの少なくとも１つの特定リールに対し、前記特定リール以外のリールとは前記最大移動図柄数が異なる停止制御を実行可能とし、
前記所定の遊技状態における所定の遊技において、前記複数のストップスイッチの停止操作順及び停止操作タイミングに応じた遊技の結果として、第１の小役に対応する図柄組合せ１が停止表示する場合と、第２の小役に対応する図柄組合せ２が停止表示する場合と、遊技媒体の付与を行う図柄組合せが停止表示しない場合とを有し、
前記所定の遊技状態における所定の遊技において、遊技の結果として図柄組合せ１又は図柄組合せ２が停止表示した場合は、特定数の遊技媒体を付与可能とし、
前記所定の遊技状態における所定の遊技において、前記特定リールに対応する前記ストップスイッチが最初に停止操作された場合は、前記特定リールに少なくとも図柄組合せ１に対応する図柄、又は図柄組合せ２に対応する図柄を停止表示させ、
前記所定の遊技状態における所定の遊技において、前記特定リールに対応する前記ストップスイッチが最初に停止操作された遊技の結果として、図柄組合せ１が停止表示する場合と、図柄組合せ２が停止表示する場合と、遊技媒体の付与を行う図柄組合せが停止表示しない場合とを有し、
前記所定の遊技状態における所定の遊技において、前記特定リールに対応する前記ストップスイッチが最初に停止操作された遊技の結果として遊技媒体の付与を行う図柄組合せが停止表示しない割合は、前記特定リール以外の所定リールに対応する前記ストップスイッチが最初に停止操作された遊技の結果として遊技媒体の付与を行う図柄組合せが停止表示しない割合よりも低く、
前記所定の遊技状態における所定の遊技において、前記特定リールに対応する前記ストップスイッチが最初に停止操作され、前記所定リールに対応する前記ストップスイッチが次に停止操作されたことにより停止した各リールには図柄組合せ１に対応する図柄がそれぞれ停止表示されており、その後、残りのリールに対応する前記ストップスイッチに対して図柄組合せ１が停止表示可能なタイミングで停止操作が受け付けられたにもかかわらず、当該残りのリールに対する所定の回転不良により、図柄組合せ１を停止表示することができなかったときでも、特定数の遊技媒体を付与可能とし、
前記所定の遊技状態における所定の遊技において、前記特定リールに対応する前記ストップスイッチが最初に停止操作され、前記所定リールに対応する前記ストップスイッチが次に停止操作されたことにより停止した各リールには図柄組合せ２に対応する図柄がそれぞれ停止表示されており、その後、残りのリールに対応する前記ストップスイッチに対して図柄組合せ２が停止表示可能なタイミングで停止操作が受け付けられたにもかかわらず、当該残りのリールに対する所定の回転不良により、図柄組合せ２を停止表示することができなかったときでも、特定数の遊技媒体を付与可能とし、
前記所定の遊技状態における所定の遊技において、前記特定リールに対応する前記ストップスイッチが最初に停止操作され、前記所定リールに対応する前記ストップスイッチが次に停止操作されたことにより停止した各リールには図柄組合せ２に対応する図柄がそれぞれ停止表示されており、その後、残りのリールに対応する前記ストップスイッチに対して図柄組合せ２が停止表示しないタイミングで停止操作が受け付けられたにもかかわらず、当該残りのリールに対する所定の回転不良により、図柄組合せ２が停止表示したとしても、遊技媒体を付与しない
ことを特徴とする遊技機。
【請求項２】
複数のリールと、
複数のストップスイッチと、
役抽選手段と、
前記ストップスイッチが停止操作されると最大移動図柄数の範囲内においてリールを停止制御するリール制御手段と
を備え、
前記所定の遊技状態であり、前記役抽選手段により所定の役抽選結果が決定された遊技では、前記複数のストップスイッチの停止操作に応じた遊技の結果として、所定の図柄組合せが停止表示する場合と、所定の図柄組合せが停止表示しない場合とを有し、
前記所定の遊技状態であり、前記役抽選手段により前記所定の役抽選結果が決定された遊技の結果として前記所定の図柄組合せが停止表示した場合は、前記所定の図柄組合せに対応する特定数の遊技媒体を付与可能とし、
前記所定の遊技状態であり、前記役抽選手段により前記所定の役抽選結果が決定された遊技では、最終停止操作以外の停止操作が受け付けられたことにより停止された各リールには前記所定の図柄組合せに対応する図柄がそれぞれ停止表示されており、その後、所定のリールに対応する前記ストップスイッチに対して前記所定の図柄組合せが停止表示しないタイミングで最終停止操作が受け付けられたにもかかわらず、当該所定のリールに対する所定の回転不良により、前記所定の図柄組合せが停止表示したとしても、遊技媒体を付与しない
ことを特徴とする遊技機。
【手続補正２】
【補正対象書類名】明細書
【補正対象項目名】０００１
【補正方法】変更
【補正の内容】
【０００１】
本発明は、リールに対する所定の回転不良が生じたときに適切な制御を実行可能とする遊技機に関するものである。
【手続補正３】
【補正対象書類名】明細書
【補正対象項目名】０００２
【補正方法】変更
【補正の内容】
【０００２】
従来の遊技機において、リールの回転不良により図柄が揃わなかった場合においても、払出しを行って遊技者に不利にならないように制御を行う遊技機が知られている（たとえば特許文献１の「０８３８」−「０８４１」参照）。
【手続補正４】
【補正対象書類名】明細書
【補正対象項目名】０００３
【補正方法】変更
【補正の内容】
【０００３】
【特許文献１】特許第６２２９８１０号公報
【手続補正５】
【補正対象書類名】明細書
【補正対象項目名】０００４
【補正方法】変更
【補正の内容】
【０００４】
本発明が解決しようとする課題は、リールに対する所定の回転不良が生じたときに適切な制御を実行可能とすることである。
【手続補正６】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
請求項１の発明（第３実施形態）は、
複数のリール（３１）と、
複数のストップスイッチ（４２）と、
役の抽選を行う役抽選手段（６１）と、
前記ストップスイッチが停止操作されると最大移動図柄数の範囲内においてリールを停止制御するリール制御手段（６５）と
を備え、
前記リール制御手段は、所定の遊技状態（２ＢＢ遊技中）では、前記複数のリールのうちの少なくとも１つの特定リール（中リール３１）に対し、前記特定リール以外のリールとは前記最大移動図柄数が異なる（特定リールは「１」、特定リール以外は「４」となる）停止制御を実行可能とし、
前記所定の遊技状態における所定の遊技（入賞ＡＬＬの状況下）において、前記複数のストップスイッチの停止操作順及び停止操作タイミングに応じた遊技の結果として、第１の小役（小役０１）に対応する図柄組合せ１が停止表示する場合と、第２の小役（小役０２）に対応する図柄組合せ２が停止表示する場合と、遊技媒体の付与を行う図柄組合せが停止表示しない場合とを有し、
前記所定の遊技状態における所定の遊技において、遊技の結果として図柄組合せ１又は図柄組合せ２が停止表示した場合は、特定数の遊技媒体（１３枚のメダル）を付与可能とし、
前記所定の遊技状態における所定の遊技において、前記特定リールに対応する前記ストップスイッチが最初に停止操作された場合は、前記特定リールに少なくとも図柄組合せ１に対応する図柄（ベル、スイカＡ、チェリー、又はリプレイＡ）、又は図柄組合せ２に対応する図柄（スイカＡ）を停止表示させ、
前記所定の遊技状態における所定の遊技において、前記特定リールに対応する前記ストップスイッチが最初に停止操作された遊技の結果として、図柄組合せ１が停止表示する場合と、図柄組合せ２が停止表示する場合と、遊技媒体の付与を行う図柄組合せが停止表示しない場合とを有し、
前記所定の遊技状態における所定の遊技において、前記特定リールに対応する前記ストップスイッチが最初に停止操作された遊技の結果として遊技媒体の付与を行う図柄組合せが停止表示しない割合（２×３７５／８０００）は、前記特定リール以外の所定リールに対応する前記ストップスイッチが最初に停止操作された遊技の結果として遊技媒体の付与を行う図柄組合せが停止表示しない割合（２×３９７５／８０００）よりも低く、
前記所定の遊技状態における所定の遊技において、前記特定リールに対応する前記ストップスイッチが最初に停止操作され、前記所定リールに対応する前記ストップスイッチが次に停止操作されたことにより停止した各リールには図柄組合せ１に対応する図柄がそれぞれ停止表示されており、その後、残りのリールに対応する前記ストップスイッチに対して図柄組合せ１が停止表示可能なタイミングで停止操作が受け付けられたにもかかわらず、当該残りのリールに対する所定の回転不良により、図柄組合せ１を停止表示することができなかったときでも、特定数の遊技媒体を付与可能とし、
前記所定の遊技状態における所定の遊技において、前記特定リールに対応する前記ストップスイッチが最初に停止操作され、前記所定リールに対応する前記ストップスイッチが次に停止操作されたことにより停止した各リールには図柄組合せ２に対応する図柄がそれぞれ停止表示されており、その後、残りのリールに対応する前記ストップスイッチに対して図柄組合せ２が停止表示可能なタイミングで停止操作が受け付けられたにもかかわらず、当該残りのリールに対する所定の回転不良により、図柄組合せ２を停止表示することができなかったときでも、特定数の遊技媒体を付与可能とし、
前記所定の遊技状態における所定の遊技において、前記特定リールに対応する前記ストップスイッチが最初に停止操作され、前記所定リールに対応する前記ストップスイッチが次に停止操作されたことにより停止した各リールには図柄組合せ２に対応する図柄がそれぞれ停止表示されており、その後、残りのリールに対応する前記ストップスイッチに対して図柄組合せ２が停止表示しないタイミングで停止操作が受け付けられたにもかかわらず、当該残りのリールに対する所定の回転不良により、図柄組合せ２が停止表示したとしても、遊技媒体を付与しない
ことを特徴とする。
請求項２の発明（第３実施形態）は、
複数のリール（３１）と、
複数のストップスイッチ（４２）と、
役抽選手段（６１）と、
前記ストップスイッチが停止操作されると最大移動図柄数の範囲内においてリールを停止制御するリール制御手段（６５）と
を備え、
前記所定の遊技状態（２ＢＢ作動中）であり、前記役抽選手段により所定の役抽選結果が決定された遊技（役の非当選時、いずれかの小役の当選時、ＳＢ当選時）では、前記複数のストップスイッチの停止操作に応じた遊技の結果として、所定の図柄組合せ（小役０１又は小役０２に対応する図柄組合せ）が停止表示する場合と、所定の図柄組合せが停止表示しない場合とを有し、
前記所定の遊技状態であり、前記役抽選手段により前記所定の役抽選結果が決定された遊技の結果として前記所定の図柄組合せが停止表示した場合は、前記所定の図柄組合せに対応する特定数（１３枚）の遊技媒体を付与可能とし、
前記所定の遊技状態であり、前記役抽選手段により前記所定の役抽選結果が決定された遊技では、最終停止操作以外の停止操作が受け付けられたことにより停止された各リールには前記所定の図柄組合せに対応する図柄がそれぞれ停止表示されており、その後、所定のリールに対応する前記ストップスイッチに対して前記所定の図柄組合せが停止表示しないタイミングで最終停止操作が受け付けられたにもかかわらず、当該所定のリールに対する所定の回転不良により、前記所定の図柄組合せが停止表示したとしても、遊技媒体を付与しない
ことを特徴とする。
【手続補正７】
【補正対象書類名】明細書
【補正対象項目名】０００６
【補正方法】変更
【補正の内容】
【０００６】
本発明によれば、リールに対する所定の回転不良により、特定数の遊技媒体を付与可能な図柄組合せが停止表示したとしても遊技媒体を付与しないので、適切な制御を実行することが可能となる。